(57)【要約】【課題】  複数の搬送路にある原稿を１つの読取部で読み取り可能な構成において基準部の汚れ又は傷つきを抑える。【解決手段】  シートが搬送される第１搬送路と、前記第１搬送路を通過した後に反転したシートが搬送される第２搬送路と、シートの画像を読み取る画像読取部とを備え、前記画像読取部が、前記第１搬送路にあるシートの第１面の画像を読み取る第１位置と、前記第２搬送路にあるシートの第２面の画像を読み取る第２位置とに移動可能な画像読取装置において、前記画像読取部が読み取る情報を補正する為に前記画像読取部が読み取る基準部を有し、前記画像読取部は、前記第１位置及び前記第２位置とは異なる第３位置に移動可能であり、前記第３位置で前記基準部を読み取ることを特徴とする画像読取装置。【選択図】  図３
2013236158.tif 000002
【特許請求の範囲】
【請求項１】
シートが搬送される第１搬送路と、前記第１搬送路を通過した後に反転したシートが搬送される第２搬送路と、シートの画像を読み取る画像読取部とを備え、前記画像読取部が、前記第１搬送路にあるシートの第１面の画像を読み取る第１位置と、前記第２搬送路にあるシートの第２面の画像を読み取る第２位置とに移動可能な画像読取装置において、
前記画像読取部が読み取る情報を補正する為に前記画像読取部が読み取る基準部を有し、
前記画像読取部は、前記第１位置及び前記第２位置とは異なる第３位置に移動可能であり、前記第３位置で前記基準部を読み取ることを特徴とする画像読取装置。
【請求項２】
前記第３位置は前記画像読取部が前記第１位置と前記第２位置との間の位置であることを特徴とする請求項１に記載の画像読取装置。
【請求項３】
前記基準部は前記画像読取部が読み取る被検知面を備え、前記被検知面は鉛直下方を向いて配置されていること特徴とする請求項１又は２に記載の画像読取装置。
【請求項４】
前記画像読取部を清掃する清掃手段を有し、前記清掃手段は、前記第１位置と前記第２位置との間を移動する前記画像読取部を清掃することを特徴とする請求項１乃至３のいずれか一項に記載の画像読取装置。
【請求項５】
前記画像読取部を清掃する清掃手段を有し、前記清掃手段は、前記第１位置と前記第３位置との間を移動する前記画像読取部を清掃することを特徴とする請求項１乃至３のいずれか一項に記載の画像読取装置。
【請求項６】
前記画像読取部は、前記画像読取部が前記第１位置又は前記第３位置にある時に前記第２搬送路を搬送されるシートの搬送をガイドするガイド部を備えることを特徴とする請求項１乃至５のいずれか一項に記載の画像読取装置。
【請求項７】
請求項１乃至６のいずれか一項に記載の画像読取装置と、前記画像読取部の読み取った情報に基づいて画像を読み取ったシートとは別のシートに画像を形成する画像形成手段と、を有する画像形成装置。
【請求項８】
前記画像形成手段は、前記別のシートの第１面に画像形成した後に、前記別のシートの第２面に画像形成すべく、前記別のシートを再び画像形成手段に搬送するための搬送路を備え、前記搬送路の一部は前記第１搬送路であることを特徴とする請求項７に記載の画像形成装置。
【発明の詳細な説明】
【技術分野】
【０００１】
本発明は、オートドキュメントフィーダユニット（以下、ＡＤＦ）に代表される、原稿を読み取る画像読取装置、及び、画像読取装置を有する複写機やレーザービームプリンタ（以下、ＬＢＰ）、ファクシミリ等の画像形成装置に関する。
【背景技術】
【０００２】
上述したような画像読取装置によって、原稿の両面（表面、裏面）を自動的に読み取るために、原稿搬送路の原稿の表面及び裏面に対向する位置に夫々読取部（イメージセンサ）を配置した構成が一般的に知られている。しかし、このような構成だと、原稿の表面用と裏面用の読取センサを設ける必要があり、コストアップしてしまう。
【０００３】
そこで、読取部を装置本体内で移動可能に構成し、複数の搬送路にある原稿を１つの読取センサで読み取り可能とした構成がある（特許文献１参照）。
【０００４】
また、正確に原稿を読み取る為、原稿の搬送路を挟んで読取部に対向する位置に白基準板としての基準部を設け、この基準部を検知することにより、シェーディング補正等の読取部で読み取った情報に関する補正を行うものがある（特許文献２参照）。
【先行技術文献】
【特許文献】
【０００５】
【特許文献１】特開平１０−１２６５６７
【特許文献２】特開平６−３０２５７
【発明の概要】
【発明が解決しようとする課題】
【０００６】
しかしながら、特許文献１のような読取部が移動する構成において、どのように基準部を配置するかについては示されていない。
【０００７】
また、特許文献２のように搬送路上に基準部を配置した構成だと、原稿が読取部に対向する位置を通過する際に、原稿が基準部に当接し、基準部に紙粉等の異物が付着したり、原稿に擦られて傷ついたりして、基準部の状態が変化してしまう虞がある。このように、基準部が汚れたり傷ついたりすることで、読取部で読み取った情報に関して適切な補正を行うことができなくなってしまう。
【０００８】
そこで、本発明は上記課題に鑑みて、複数の搬送路にある原稿を１つの読取部で読み取り可能な構成において基準部の汚れ又は傷つきを抑えることを目的とする。
【課題を解決するための手段】
【０００９】
即ち、本発明は、シートが搬送される第１搬送路と、前記第１搬送路を通過した後に反転したシートが搬送される第２搬送路と、シートの画像を読み取る画像読取部とを備え、前記画像読取部が、前記第１搬送路にあるシートの第１面の画像を読み取る第１位置と、前記第２搬送路にあるシートの第２面の画像を読み取る第２位置とに移動可能な画像読取装置において、前記画像読取部が読み取る情報を補正する為に前記画像読取部が読み取る基準部を有し、前記画像読取部は、前記第１位置及び前記第２位置とは異なる第３位置に移動可能であり、前記第３位置で前記基準部を読み取ることを特徴とする。
【発明の効果】
【００１０】
本発明によれば、複数の搬送路にある原稿を１つの読取部で読み取り可能な構成において基準部の汚れ又は傷つきを抑えることができる。
【図面の簡単な説明】
【００１１】
【図１】画像読取装置の概略断面図。
【図２】画像読取装置の概略断面図。
【図３】画像読取装置の概略断面図。
【図４】画像読取装置の概略断面図。
【図５】画像読取装置の概略断面図。
【図６】画像読取装置の概略断面図。
【図７】画像読取装置の概略断面図。
【図８】画像読取装置の概略断面図。
【図９】画像読取装置の読取部付近の概略断面図。
【図１０】画像読取装置の読取部付近の概略断面図。
【発明を実施するための形態】
【００１２】
［第１実施形態］
第１実施形態では、本発明を適用した画像読取装置について説明する。図１は、画像読取装置１の概略断面図である。本実施形態の画像読取装置１は、後に詳述するが、画像形成装置として機能する画像形成手段を有しており、画像読取装置を有する画像形成装置として捉えることもできる。
【００１３】
まず、装置１の概略構成について説明する。装置１内には装置１下部に配置された第１給紙部３０から装置１上部に配置された第１排紙部７０まで記録材Ｓ（シート）を搬送する搬送路７８が配置されている。また、装置１内には、両面プリント時にスイッチバックした記録材Ｓを搬送し、再び搬送路７８へ搬送するための両面搬送路８０、装置１上部に配置された第２給紙部９０から両面搬送路８０へ原稿Ｇ（シート）を搬送する第１原稿搬送路７９を有する。更に、装置１内には、両面搬送路８０でスイッチバックした原稿Ｇを装置上部に配置された第２排紙部１１０へ搬送する第２原稿搬送路を有する。
【００１４】
装置１の中央部には、像担持体としての回転可能な感光ドラム１０と、感光ドラム１０に当接し、トナーを保持しながら回転する現像ローラ１１が配置されている。感光ドラム１０に対向してレーザ光を照射する光学ユニット２が配置されている。搬送路７９を挟んで感光ドラム１０と対向する位置には転写ローラ１５が設けられている。搬送路７９の転写ローラ１５の搬送方向下流側には定着部５０が設けられている。
【００１５】
＜画像形成手段＞
上述した、第１給紙部３０、搬送路７８、感光ドラム１０、現像ローラ１１、光学ユニット２、定着部５０、第１排紙部７０、両面搬送路８０が、シート状の記録材Ｓに画像形成するための画像形成手段として機能する。
【００１６】
次に、図１、２を用いて画像形成手段による画像形成動作について説明する。なお、図２も画像読取装置１の概略断面図である。画像形成手段部は印刷信号を受けとることで画像形成動作を開始する。画像形成動作は以下のとおりである。光学ユニット２が具備する発光部２１が、不図示の帯電手段によって表面を帯電させられて回転する感光ドラム１０の表面に印刷する画像情報に応じたレーザ光を照射する。レーザ光を照射された感光ドラム１０の表面には印刷する画像情報に応じた潜像が形成される。現像ローラ１１が回転しながら、保持しているトナーを感光ドラム１０表面に付着させると、感光ドラム１０の表面上に潜像に対応したトナー像が形成される。
【００１７】
一方、第１給紙部３０に収納された記録紙Ｓは、ピックアップローラ３１と分離手段３２により、一枚ずつ搬送ローラ４０に搬送される。搬送ローラ４０は、感光ドラム１０の表面のトナー像と記録紙Ｓの先端位置のタイミングを合わせるように、記録紙Ｓを転写部１５へと搬送する。
【００１８】
感光ドラム１０の表面上に形成されたトナー像は、感光ドラム１０の回転により転写ローラ１５に対向する転写ニップの位置へ移動し、転写ローラ１５に印加される転写バイアスによって、記録紙Ｓ上に転写される。トナー像が転写された記録紙Ｓは定着部５０へ搬送され、加熱ローラ５１と加圧ローラ５２の間の定着ニップを通過して加熱及び加圧され、トナー像が記録紙Ｓに定着される。トナー像を定着された記録紙Ｓは、排紙ローラ６０によって定着部５０の下流側へ搬送される。
【００１９】
ここで、記録紙Ｓの片面のみに印刷を行う片面印刷の場合、排紙ローラ６０は記録紙Ｓをそのまま機外へ搬送し、記録紙Ｓを第１排紙部７０上に排出する。
【００２０】
記録紙Ｓの両面に印刷を行う両面印刷の場合は次のように動作する。図２は、画像読取装置１の概略断面図であり、両面印刷動作を説明する図である。定着部５０の下流側へ搬送される記録材Ｓは、排紙ローラ６０によって記録材Ｓの後端がフラッパ６１の位置を通過する位置まで搬送される。排紙ローラ６０搬送路を切り替える為に揺動するフラッパ６１は、定着部５０を通過した記録紙Ｓの後端がフラッパ６１の位置を通過した後、下側に揺動して搬送路を切り替える。その後、排紙ローラ６０は逆回転し、記録紙Ｓの後端を先端として搬送され、両面搬送路８０へ搬送される。これが所謂スイッチバックである。
【００２１】
スイッチバックした記録紙Ｓは、搬送ローラ４１、４２、４０によって搬送され、再び転写部１５へ搬送される。その後は上述した画像形成動作によって、記録紙Ｓの別の面にトナー像の転写、及び、定着され、第１排紙部７０へ排出される。このような画像形成動作によって、記録材Ｓの片面又は両面に画像形成を行う。
【００２２】
＜画像読取手段＞
本実施形態の画像読取装置１は、画像形成手段と一部が共通化され、シート状の原稿の画像を読み取る画像読取装置として機能する画像読取手段を有している。具体的には、第２給紙部９０、第１原稿搬送路７９、両面搬送路８０、第２原稿搬送路８１、フラッパ８２、搬送ローラ４２、４３、読取部１００、基準部としての白基準部材１０１である。このうち、両面搬送路８０は画像形成手段としても機能する共通部分である。
【００２３】
図９は、画像読取装置１の読取部付近の概略断面図である。読取部（画像読取部）１００は、原稿に光を照射する不図示の発光部と、原稿に対向する読取面１００ｂが形成され、発光部からの光が透過するガラス１００ａと、ガラス１００ａを透過した原稿からの反射光を受光する不図示の受光部と、を備え、これらが一体的に移動可能に構成されている。受光部は原稿の搬送方向に直交する方向に並んだ複数の光電変換素子を備える。読取部１００は、受光部で原稿からの反射光の受光量を検知し、受光量に対応する信号を読み取った原稿の画像情報として画像制御部Ｃへ出力する。このようにして原稿の画像を読み取ることができる。
【００２４】
また、読取部１００は、図１の矢印Ｒで示すように軸Ｘ中心として回転可能で、両面搬送路（第１搬送路）８０にある原稿の第１面の画像を読み取る位置（第１位置）、及び、第２原稿搬送路（第２搬送路）８１にある原稿の第２面の画像を読み取る位置（第２位置）へと移動可能である。第１位置及び第２位置では読取面１００ｂが原稿の読み取る面と対向する。また、後に詳述するが、読取部１００には、両面搬送路８０や第２原稿搬送路８１を搬送されるシートの搬送をガイドするガイド部１００ｃが設けられている。
【００２５】
読取部１００は、原稿を読み取らない状態では、上記２つの位置の間の待機位置（第３位置）にある。本実施形態では、白基準部材１０１の被検知面１０１ａが待機位置にある読取部１００の鉛直上方に配置されており、読取部１００の読取面１００ｂが白基準部材１０１の被検知面１０１ａと対向し、被検知面１０１ａを読み取り可能である。被検知面１０１ａは鉛直下方を向いて配置されている。白基準部材１０１の被検知面１０１ａを読み取った情報を白基準情報とし、この情報に基づいて読み取った原稿画像に関する情報を補正することが可能となる。このような原稿画像に関する情報の補正は、白基準情報に基づいて画像制御部Ｃが行ってもよいし、読取部１００で白基準情報に基づいて補正を行い、補正したものを原稿の画像情報として画像制御部Ｃへ出力してもよい。
【００２６】
画像制御部Ｃは、読取部から出力された画像情報を、ネットワーク等を経由して外部のＰＣやサーバー、ＵＳＢメモリ等の情報処理装置や記憶装置に送信したり、画像形成手段に送信して画像情報に基づく画像形成を行うことが可能である。また、画像制御部Ｃが備えるメモリ（記憶手段）等に画像情報を格納することも可能である。なお、画像制御部Ｃが備えるメモリとは、画像制御部Ｃと同一基盤上にあるメモリ以外にも、装置１内に備わるものであれば、別の基盤等に設けられたメモリのことも指す。
【００２７】
＜画像読取動作＞
次に、画像読取手段による原稿Ｇの画像情報の読み取り動作について説明する。図３は、原稿表面の読み取り開始時の説明図である。第２給紙部９０に収納された原稿Ｇは、ピックアップローラ９１と分離手段９２により、一枚ずつ搬送ローラ４１に第１原稿搬送路７９を経て両面搬送路８０へ搬送される。
【００２８】
一方、読取部１００は、第２給紙部から給紙された原稿の原稿表面である第１面目の読み取りを開始するまでに、待機位置で白基準部材１０１へ発光して白基準部材１０１の情報を読み取り、白基準情報の修正を実施する。そして、Ｒ１方向に回転して両面搬送路８０に対面する第１位置に移動する。
【００２９】
そして、両面搬送路８０を搬送される原稿Ｇが第１位置にある読取部１００に対向する位置を通過する際、読取部１００は、原稿Ｇの第１面に光を照射し、その画像情報を読み取る。読み取られた原稿Ｇの第１面に対応する画像情報は、画像制御部Ｃへ送信される。
【００３０】
読取部１００の位置を通過した原稿Ｇは、搬送ローラ４２によって両面搬送路８０を更に搬送され、図４に示すように、原稿Ｇの後端がフラッパ８２の先端を通過した位置で停止させられる。この時、原稿Ｇは搬送ローラ４２に挟持された状態で停止している。そして、所定時間の経過後、図５に示すように搬送ローラ４２が逆回転して原稿Ｇがスイッチバック（反転搬送）され、フラッパ８２によって案内されて第２原稿搬送路８１を搬送される。
【００３１】
一方、読取部１００は原稿Ｇの第１面を読み取った後、図４に示すように、Ｒ２方向に回転して待機位置移動し、再び白基準部材１０１を読み取り、白基準情報の修正を実行する。そして、図５に示すように、更にＲ２方向に回転して第２原稿搬送路８１に対面する第２位置に移動する。
【００３２】
そして、第２原稿搬送路８１を搬送される原稿Ｇが第２位置にある読取部１００に対向する位置を通過する際、読取部１００は原稿Ｇの第２面に光を照射し、その画像情報を読み取る。読み取られた原稿Ｇの第２面に対応する画像情報は、画像制御部Ｃへ送信される。第１面及び第２面を読み取られた原稿Ｇは、図６に示すように、搬送ローラ４３及び４４に搬送され、第２排紙部１１０に積載される。このようにして原稿Ｇの両面（第１面、第２面）を一つの読取部１００によって読み取ることができる。
【００３３】
次に、原稿Ｇで読み取った画像情報に基づいて記録材Ｓに画像形成を行う場合について説明する。
【００３４】
第２原稿搬送路８１を搬送される原稿Ｇの第２面を読み取りながら、上述の画像形成動作で説明したのと同様に、第１給紙部３０から記録紙Ｓを給送し、搬送ローラ４０で搬送を開始する。ほぼ同時に画像制御部Ｃのメモリに記憶された原稿Ｇの第２面の情報を基に発光部２１から先の画像情報に基づく感光ドラム１０への潜像が形成され、現像ローラ１１によって現像され、潜像に対応するトナー像が形成される。次に記録紙Ｓは転写部１５でトナー画像を転写されたのち、定着部５０へ搬送され定着され、記録材Ｓに原稿Ｇの第２面目に対応する画像形成を完了する。
【００３５】
なお、原稿Ｇの第２面の情報を読み取り開始とともに記録紙Ｓの給送を開始しているが、第２面の情報の読み取りが完了した後に記録紙Ｓの給送を開始しても良い。
【００３６】
原稿の第２面に対応する画像形成が完了した記録紙Ｓは、排紙ローラ６０の逆回転によって、記録紙Ｓをフラッパ６１によって切り替えられた両面搬送路８０に向けて搬送される。図６に示すように、フラッパ８２は、原稿Ｇの後端が通過すると、スイッチバックされて両面搬送路８０を搬送されてくる記録紙Ｓを搬送ローラ４０に向かって搬送されるよう、搬送路を切り替える。
【００３７】
図７に示すように、搬送ローラ４１、４２によって両面搬送路８０を搬送され、破線で記載されている記録紙Ｓのように再び転写部１５へ搬送される。そして、先の画像制御部Ｃのメモリに記憶された原稿Ｇの第１面の画像情報に基づき、原稿Ｇの第１面に対応する画像が記録材Ｓに転写され、定着部５０を経て、第１排紙部７０に排出される。
【００３８】
なお、読取部１００が第２原稿搬送路８１に対向する第２位置、又は、待機位置にある時に、両面搬送路８０を搬送される記録材Ｓがスムーズに両面搬送路８０を搬送されるよう、両面搬送路８０に対向するガイド部１００ｃを有している。またガイド部１０ｃは、読取部１００が待機位置にある時に、第２原稿搬送路８１に対向する部分にも形成されている。このようにガイド部１００ｃを形成しておくことにより、読取部１００によって原稿Ｇを読み取っている時以外に、両面搬送路８０、又は、第２原稿搬送路８１を原稿Ｇ又は記録材Ｓをスムーズに搬送することができる。
【００３９】
また、図１０は別の形態の画像読取装置の読取部１００付近の拡大図である。図１０に示すように、鉛直上方を向く白基準部材１０１の被検知面１０１ａと読取面１００ｂが対向するように白基準部材１０１を配置し、この位置を読取部１００の待機位置として設定してもよい。
【００４０】
以上のように、本実施形態によれば、読取部１００を両面搬送路８０に対向する第１位置、及び、第２原稿搬送路８１に対向する第２位置に移動可能に構成したことにより原稿Ｇの両面（第１面、第２面）を一つの読取部１００によって読み取ることができる。
【００４１】
また、白基準部材１０１を、両面搬送路８０と第２原稿搬送路８１とも異なる位置に配置している。換言すれば、第１位置、第２位置とは異なる第３位置に読取部１００がある時に、読取部１００が白基準部材１０１を読み取り可能な位置に白基準部材１０１を配置している。このような位置に白基準部材１０１を配置することで、白基準部材１０１が両面搬送路８０と第２原稿搬送路８１を搬送される原稿Ｇや記録材Ｓと当接することがなく、白基準部材１０１の傷つきや異物の付着による汚れを抑えることができる。
【００４２】
また、本実施形態では、待機位置（第３位置）を第１位置と第２位置の間の位置とすることで、読取部１００が軸Ｘ回りに回転して、第１位置から第２位置へ移動する間、及び、第１位置から第２位置へ移動する間に、白基準部材１０１を読み取ることができるので、白基準部材１０１の読み取り回数を増やすことが可能となる。これにより、逐次最新の白基準情報に基づいて原稿画像に関する情報を補正することができる。
【００４３】
また、待機位置で白基準情報を読み取った後に、第１位置で原稿Ｇを読み取り、第２位置へ移動する前に再び待機位置で白基準情報を読み取り、第１位置での原稿画像読取の前後で白基準情報を比較する事も可能である。これにより、原稿Ｇが読取部１００に対向する位置を通過によって発生する、読取部１００での汚れの付着を検出する事が可能である。また更に、検出結果に応じて、読取部１００の清掃や交換を促すことも可能である。
【００４４】
また、本実施形態では、図９に示すように、白基準部材１０１の被検知面１０１ａが鉛直下向きになるように配置されているので、被検知面１０１ａにより異物が付着しにくい構成となっている。
【００４５】
なお、本実施形態の画像形成手段は、電子写真方式の画像形成手段であったが、インクジェット方式等の他の記録方式の画像形成手段を有する装置にも適用可能である。
【００４６】
＜第２実施形態＞
次に、本発明の第２実施形態について説明する。本実施形態と第１実施形態が異なるのは、画像読取装置１が読取部１００の清掃手段を有する点であり、その他の構成、動作については第１実施形態と同様である。このように、第１実施形態と同様の部分については同様の符号を付して説明を省略する。
【００４７】
図８は、第２実施形態の画像読取装置１の概略断面図である。本実施形態では、読取面１００ｂに当接して、読取面１００ｂ上の異物を除去する清掃する清掃手段としての清掃ブレード１０２を有する。清掃ブレード１０２は、白基準部材１０１と両面搬送路８０との間、及び、白基準部材１０１と第２原稿搬送路８１との間に配置されている。つまり、清掃ブレード１０２は第１位置と第３位置との間、及び、第２位置と第３位置との間にある読取部１００に当接するよう配置されている。
【００４８】
このため、第１実施形態で説明したような読取部１００の回転によって、読取面１００ｂやガイド部１００ｃが清掃ブレード１０２と接触して、読取面１００ｂの表面の紙粉等の異物や汚れを除去して清掃する。また、読取部１００と清掃ブレード１０２によって、両面搬送路８０と第２原稿搬送路８１とに形成された、白基準部材１０１と読取部１００との間の隙間を塞ぐことができるため、この隙間へ異物や汚れが進入することを防止する効果も期待できる。
【００４９】
なお、清掃手段としてはブレード状の清掃ブレード１０２以外にも、ブラシや不織布であってもよく、また、白基準部材１０１と両面搬送路８０との間の清掃手段と、白基準部材１０１と第２原稿搬送路８１との間の清掃手段とで上述した異なる種類の清掃手段を用いてもよい。
【００５０】
このように本実施形態では、第１実施形態と同様の効果を得ることができる。それに加え、清掃手段を第１位置と第３位置との間、及び、第２位置と第３位置との間にある読取部１００に清掃するよう配置している。このため、読取部１００が第１位置と第２位置との間を移動する際に読取部１００を清掃することができる。更に、読取部１００が白基準部材１０１に対向する第３位置に移動する前に必ず読取部１００が清掃されることになるので、白基準部材１０１に読取部１００に付着した汚れが付着することを防ぐことができる。
【符号の説明】
【００５１】
１  画像読取装置
２  光学ユニット
１０  感光ドラム
７９  第１原稿搬送路
８０  両面搬送路
８１  第２原稿搬送路
１００  読取部
１００ａ  ガラス
１００ｂ  読取面
１０１  白基準部材
１０１ａ  被検知面
１０２  清掃ブレード
Ｇ  原稿
Ｓ  記録紙
【図１】
2013236158.tif 000003
【図２】
2013236158.tif 000004
【図３】
2013236158.tif 000005
【図４】
2013236158.tif 000006
【図５】
2013236158.tif 000007
【図６】
2013236158.tif 000008
【図７】
2013236158.tif 000009
【図８】
2013236158.tif 000010
【図９】
2013236158.tif 000011
【図１０】
2013236158.tif 000012